(57)【要約】【課題】  作物栽培用のハウスは、天井部に遮光カーテンを設けて、この遮光カーテンの開閉によって日射量の調節等を行うが、この遮光カーテンの開閉によってカーテン継目等に間隙部を生じ易く、このカーテン間隙部から、昆虫蜂の逃出を防止したり、害虫の浸入防止する必要がある。【解決手段】  屋根１部に開閉可能の天窓２を有したハウス３の天井部に沿って、前後対向端縁を連結部４とした遮光カーテン５と防虫ネット６を、この連結部４を前後に移動して切替可能に敷設したことを特徴とする作物栽培ハウスの遮光装置の構成とする。これら遮光カーテン５と防虫ネット６との連結部は常に連結状態にあって連結間隙を生じ難い形態を維持する。【選択図】    図１
2008283938.tif 000002
【特許請求の範囲】
【請求項１】
屋根（１）部に開閉可能の天窓（２）を有したハウス（３）の天井部に沿って、前後対向端縁を連結部（４）としたカーテン（５）と防虫ネット（６）を、この連結部（４）を前後に移動して切替可能に敷設したことを特徴とする作物栽培ハウス。
【発明の詳細な説明】
【技術分野】
【０００１】
この発明は、ハウス天井部に遮光用等のカーテン、及び防虫ネットを設ける作物栽培ハウスに関するもので、構成を簡単にして、耐久性を高めるものである。
【背景技術】
【０００２】
ハウス天井部に巻き取り形態の遮光カーテンを設ける技術（例えば、特許文献１参照）や、天窓形態の開閉網窓等を設ける技術（例えば、特許文献２参照）が知られている。
【特許文献１】特開２００４ー５７１５０号公報（第３頁、図１）。
【特許文献２】実用新案登録第３０８１５９９号公報（第１頁、図１）。
【発明の開示】
【発明が解決しようとする課題】
【０００３】
作物栽培用のハウスは、天井部にカーテンを設けて、このカーテンの開閉によって日射量の調節等を行うが、このカーテンの開閉によってカーテン継目等に間隙部を生じ易く、このカーテン間隙部から、昆虫蜂の逃出を防止したり、害虫の浸入防止する必要がある。
【課題を解決するための手段】
【０００４】
請求項１に記載の発明は、屋根１部に開閉可能の天窓２を有したハウス３の天井部に沿って、前後対向端縁を連結部４としたカーテン５と防虫ネット６を、この連結部４を前後に移動して切替可能に敷設したことを特徴とする作物栽培ハウスとする。ハウス３の天井部に沿って敷設するカーテン５と防虫ネット６とは前後に一体的に連結されていて、カーテン５を引き出して張るときは防虫ネット６が同時に巻取等により収納され、又、カーテン５を収納すると同時に防虫ネット６が引き出されて張出される。これらカーテン５と防虫ネット６との連結部は常に連結状態にあって連結間隙を生じ難い形態を維持する。
【発明の効果】
【０００５】
請求項１に記載の発明は、このようにカーテン５と防虫ネット６との張出と収納とは互いに齟齬する形態に行われて、前後端縁部は常に一体的に連結されていて連結間隙を生じ難い形態にあり、共にハウス内部に敷設して構成を簡単にし耐久性を高めることができると共に、前後方向の巻取り、巻戻し等による形態の開閉操作を簡単にすることができる。
【発明を実施するための最良の形態】
【０００６】
図例に基づいて、作物栽培ハウス３は、側壁７及び屋根１をガラス張りにして温室形態に構成する。コンクリート製の基礎８上には前後支柱９、１０を配置し、これらハウス３の前後方向のの中間部には中間支柱１１を配置している。遮光カーテン５及び防虫ネット６は、このハウス３内の天井部である屋根裏下部に沿って略水平状に設ける。側壁７内面の天井部にはカーテンレール１２を設け、このカーテンレール１２に遮光カーテン５、及び防虫ネット６の左右横端部をスライド可能にして案内させる。これらカーテンレール１２と、遮光カーテン５、又は防虫ネット６等によって、ハウス３内の床１４側の栽培室１５と、屋根１側の天井裏１３が仕切られる。この天井裏１３は防虫ネット６を介して栽培室１５と連通し、天窓２を介して屋外と連通することができる。
【０００７】
ここにおいて、この発明に係る栽培ハウスは、屋根１部に開閉可能の天窓２を有したハウス３の天井部に沿って、前後対向端縁を連結部４とした遮光カーテン５と防虫ネット６を、この連結部４を前後に移動して切替可能に敷設したことを特徴とする作物栽培ハウスの遮光装置の構成とする。ハウス３の天井部に沿って敷設する遮光カーテン５と防虫ネット６とは前後に一体的に連結されていて、遮光カーテン５を引き出して張るときは防虫ネット６が同時に巻取等により収納され、又、遮光カーテン５を収納すると同時に防虫ネット６が引き出されて張出される。これら遮光カーテン５と防虫ネット６との連結部は常に連結状態にあって連結間隙を生じ難い形態を維持する。
【０００８】
ハウス３の床１４には栽培ベッドを配置して、この栽培ベッドの上において作物を水耕栽培等で栽培する。遮光カーテン５と防虫ネット６との間を角チューブ材等からなる連結部材４を介して連結して、この連結部材４の左右両端部を前記カーテンレール１２上にラックピニオン形態等によって支持させて前後方向へ移動可能に構成している。このとき遮光カーテン５を張出すときは、前記連結部材４を防虫ネット６の側へ移動することによって、この遮光カーテン５の連結部材４端部が引き出されると共に、この防虫ネット６が縮小されて、栽培室１５の天井部が遮光カーテン５で覆われて遮光形態になる。又、遮光カーテン５を格納して防虫ネット６を張り出すときは、該連結部材４を遮光カーテン５の側へ移動することによって行われ、栽培室１６上を防虫ネット６で覆うことができる。このように、遮光カーテン５と防虫ネット６とを連結する連結部材４を前後に移動することによって、遮光カーテン５と防虫ネット６との張出と収納とは互いに齟齬する形態に行われて、前後端縁部は常に一体的に連結されていて連結間隙を生じ難い形態にあり、共にハウス内部に敷設して構成を簡単にし耐久性を高めることができると共に、前後方向の巻取り、巻戻し等による形態の開閉操作を簡単にすることができる。又、遮光カーテン５、及び防虫ネット６の連結部材４に対する連結部とは反対側は、ハウス３の前後支柱９、１０部に各チューブ材からなる固定部材１６、１７に連結固定している。
【０００９】
次に、主として図３、〜図５に基づいて、前記栽培ハウス３において、防虫ネット１８を天窓２部に設ける形態では、この防虫ネット１８をテンマド２の開閉によって風圧を受けていても正確に折り畳みできるように防虫ネット１８の前面部１９と側面部２０との各折目部２１、２２、２３に沿って折目縫２４を形成するものである。防虫ネット１８は、これら前面部１９とこの横端部の側面部２０とから形成されて、財布や、バッグ等の底布材の如き折畳底形態となるように構成している。前面部１９の上下端縁部２５、２６を開閉ヒンジ２９周りに上下開閉回動する天窓２の先端部と屋根１部とに連結し、左右両側面部２０の上下両端縁部２７、２８を天窓２の横端部と屋根１部に連結している。そして、この天窓２をヒンジ２９の周りに回動して開閉することによって、この天窓２の開閉面部を覆う防虫ネット１８をこの天窓２の内側に向けて前記折目部２１、２２に沿って折り畳むものである。このため各折目部２１、２２、２３には折り畳み上下ネット地部を縫い合わせる折目縫２４を形成する。この天窓２を開閉するための開閉アーム３０が、ラチス部材３１上に設ける開閉パイプ３２の移動操作で左右に移動可能に設けられている。
【００１０】
次に、主として図６、図７に基づいて、前記防虫ネット１８の形態をハウス３の屋根１の形態のあわせた箱形状ネットの形態にして、天窓２を含む屋根１上部に嵌合させるように構成することによって、防虫ネット１８の箱形カバー形態、構成を簡単にし、取付けを容易化するものである。
【００１１】
次に、主として図８に基づいて、栽培ハウス３の天窓２を千鳥状に配置したものである。この天窓２の開口は左右選択可能に構成して、風の方向にかかわらず左、右一側から吹く風を天窓２からハウス３内部に吹き込ませると共に、隣接の天窓２から吹き出させるように風流案内することによって、大間口形態の栽培ハウスの換気性を効果的に行わせる。
【００１２】
次に、主として図９に基づいて、栽培ハウス３に配置する灌水、乃至栽培溶液を供給する配管において、この配管機構を利用して冬場の消雪を行わせるものである。ハウス３の灌水パイプ３５には給水ポンプ３６を有して、井戸水３７を汲み上げて、灌水ポンプ３８や、逆止弁３９、フィルター４０、圧力調整弁４１等を有する給水パイプ４２から、電動弁４３を有する給水パイプ４４を経て、前記灌水パイプ３５へ給水するように構成している。井戸水を利用して通常の灌水作用時や、消雪作用時にはこのような経路を経て給水する。又、肥料を供給するときは、該給水パイプ４２から、ボールバルブ４５や、電磁弁４６、肥料混入器４７、水量計４８、及び逆止弁４９等を有する肥料供給パイプ５０を介して、灌水パイプ３５へ給水するように構成している。該肥料混入器４７は液肥タンク５１から液肥を汲出しながら肥料供給パイプ５０へ供給混合するものである。このような灌水パイプ３５に対する消雪用水と、肥料水との切り替えは前記電磁弁４６の切り替え操作によって行われる。
【００１３】
図１０に基づいて、各ハウス３に給水する給水パイプ５２を配置すると共に、液肥を供給可能な液肥パイプ５３とを配置して、この給水パイプ５２にはハウス３の側壁７部に沿って設けるノズル５４を配置する。これら給水パイプ５２と、灌水パイプ３５に連通する液肥パイプ５３とに対する供給切替えによって、ハウス３外周部の消雪を行うことができる。
【００１４】
次に、主として図１１、〜図１３に基づいて、前記栽培ハウス３の内部で、所定の作業を行う作業台車５５の操作盤５８に、この作業台車５５の走行時間Ｔ１を調節可能な可変タイマー５６を設けると共に、この作業台車５５の走行を停止て作業者が作業を行うための作業時間Ｔ２を調節可能な可変タイマー５７を設ける。作業台車５５は走行モータ５９の駆動によって走行するが、この走行時間Ｔ１と走行停止の作業時間Ｔ２がタイマー５６、５７によって適宜に設定されるために、作業内容に応じて効率のよい作業を行うことができる。６０は作業対象である作物であり、栽培床６１上に一定間隔毎に植付けられ、茎先を保持ワイヤー６２に吊している。作業者６３の立つ台６４がクロスリンク６５の伸縮シリンダによる拡縮によって、この作業台車５５に対して適宜高さ位置に支持されて、所定の作業を行うことができる。このクロスリンク６５には台６４の高さを検出する高さセンサー６６が設けられ、この高さセンサー６６の検出値がコントローラ６７に設定した設定高さ以内であるときは通常の走行速度に維持されるが、この検出値が設定高さを越えて高いときは、走行速度を減速して走行の安全を図るものである。
【００１５】
又、台６４上にはフットスイッチ６８を設け、このフットスイッチ６８を踏んでＯＮ、ＯＦＦすることによって走行を発進、又は停止するように構成している。図１３のフローチャートにおいて、電源スイッチをＯＮして、前、後進スイッチを切り替え、フットスイッチ６８をＯＮすると、タイマーＴ３の設定時間経過後にスタートされる。フットスイッチ６８をＯＦＦにしたときは即座に走行停止する。ここで、フットスイッチ６８をＯＮしたとき、タイマーＴ３が設定時間内であるときはこのフットスイッチ６８のＯＮ後に即座にスタートされる。
【００１６】
又、前記クロスリンク６５を拡縮する伸縮シリンダ６９の排油出口に内径を細くしたニップルを取り付けることによって、作業台車５５に対する作業台６４の急激な落下を阻止することができる。又、図１４のように前記伸縮シリンダ６９の油圧ホース７２の抜けや破れ等による作業台６４の急落下を防止するために、シリンダ６９の出口７０にスピードコントローラ７１を設置することで、油圧ホースが抜けたり、破れたりしても、この出口７０から排出される油量がコントローラ７１によって抑制される。７３は油圧ポンプである。
【図面の簡単な説明】
【００１７】
【図１】栽培ハウスの側面図。
【図２】その正面図。
【図３】一部別例を示す防虫ネット部の側面図。
【図４】その作用を示す側面図。
【図５】その防虫ネット部の折畳状態を示す平面図。
【図６】一部別実施例を示す栽培ハウスの正面図。
【図７】その防虫ネット部の斜視図。
【図８】一部別実施例を示す栽培ハウスの天窓配置平面図と、正面図。
【図９】一部別実施例を示す栽培ハウスの灌水配管図。
【図１０】一部別実施例を示す栽培ハウスの灌水配管図。
【図１１】一部別実施例を示す栽培ハウスでの作業状態図。
【図１２】その作業台車の側面図と、その一部作業のフローチャート。
【図１３】作業台車の車速制御を示すフローチャート。
【図１４】シリンダの油圧回路図。
【符号の説明】
【００１８】
１        屋根
２        天窓
３        ハウス
４        連結部材
５        遮光カーテン
６        防虫ネット
【図１】
2008283938.tif 000003
【図２】
2008283938.tif 000004
【図３】
2008283938.tif 000005
【図４】
2008283938.tif 000006
【図５】
2008283938.tif 000007
【図６】
2008283938.tif 000008
【図７】
2008283938.tif 000009
【図８】
2008283938.tif 000010
【図９】
2008283938.tif 000011
【図１０】
2008283938.tif 000012
【図１１】
2008283938.tif 000013
【図１２】
2008283938.tif 000014
【図１３】
2008283938.tif 000015
【図１４】
2008283938.tif 000016